(57)【要約】【課題】隣接物に衝突することなく被支持体を前方に大きく開けられるようにするヒンジ機構を提供する。【解決手段】第１アーム３を第１枢着部２によって枢着するとともに、第１枢着部２から離れた部位に第２枢着部６を設けて第２アーム７を枢着し、第１アーム３に設けられた第１軸支部４と第２アーム７に設けられた第２軸支部８とにより被支持体１０を軸支するヒンジ機構であり、第１軸支部４が第１枢着部２の外方前側に位置し得るように第１アーム３および第２アーム７の長さを設定し、この位置にある第１軸支部４を支点として被支持体１０を前方に回転させられるようにするとともに、この状態から第１アーム３と第２アーム７とをさらに前方に回転させることで被支持体１０が前方に繰り出されるようにした。【選択図】図１０
2018000730.tif 000002
【特許請求の範囲】
【請求項１】
第１アームを第１枢着部によって水平面内で前方に回転し得るように枢着するとともに、前記第１枢着部から離れた部位に第２枢着部を設けて第２アームを水平面内で前方に回転し得るように枢着し、前記第１アームの先端部に設けられた第１軸支部と前記第２アームの先端部に設けられた第２軸支部とにより被支持体を軸支するヒンジ機構であり、前記第１軸支部が前記第１枢着部の外方前側に位置し得るように前記第１アームおよび前記第２アームの長さを設定し、この位置にある第１軸支部を支点として被支持体を前方に回転させられるようにするとともに、この状態から該第１アームと第２アームとをさらに前方に回転させることで該被支持体が前方に繰り出されるようにしたことを特徴とするヒンジ機構。
【請求項２】
前面が開口する方形枠状の固定枠の下辺部に支持基板を設け、該支持基板に第１枢着部を設けて第１アームを水平面内で前方に回転し得るように枢着するとともに、該支持基板上の前記第１枢着部から離れた部位に第２枢着部を設けて前記第１アームよりも長い第２アームを水平面内で前方に回転し得るように枢着し、前記第１アームの先端部に設けられた第１軸支部と前記第２アームの先端部に設けられた第２軸支部とにより被支持体を軸支するヒンジ機構であり、前記第１軸支部が該固定枠の一側辺部に近い前側に位置し得るように前記第１アームの長さを設定し、この位置にある第１軸支部を支点として被支持体を回転させることで該被支持体が前記固定枠の一側辺部に対し内側から接離するようにするとともに、この状態から該第１アームと第２アームとをさらに前方に回転させることで該被支持体が前記固定枠内から向きを変えつつ前方に繰り出されるようにしたことを特徴とするヒンジ機構。
【請求項３】
前記固定枠の上辺部に前記第１アームと同様に回転し前記被支持体を支持する上部第１アームを設けたことを特徴とする請求項２に記載したヒンジ機構。
【請求項４】
前記第１枢着部は前記支持基板の長手方向略中間部位に設けられ、前記第２枢着部は前記支持基板の他端部寄りに設けられていることを特徴とする請求項２〜３のいずれかに記載したヒンジ機構。
【請求項５】
前記第２アームは伸縮可能に構成されていることを特徴とする請求項１〜４のいずれかに記載したヒンジ機構。
【請求項６】
前記第１軸支部が前記支持基板の一端部に近い前側に位置するときの該第１軸支部を中心とする円弧状となるように前記支持基板にガイド溝を形成し、前記第２軸支部を該ガイド溝に遊嵌し、前記第２軸支部を該ガイド溝に沿って移動させることで被支持体が前記第１軸支部を中心として回転するようにしたことを特徴とする請求項２〜５のいずれかに記載したヒンジ機構。
【請求項７】
前記第２アームを伸縮可能に構成するとともに、該第２アームに収縮制限ストッパを設け、前方に繰り出した被支持体を固定枠内に収納するに際し該収縮制限ストッパによって前記第２アームの収縮が制限されることで前記第２軸支部が前記ガイド溝の開口縁に合致するようにしたことを特徴とする請求項６に記載したヒンジ機構。
【請求項８】
前記被支持体は前面体と該前面体の裏面に係脱可能に配設された本体とからなり、該前面体を前記第１軸支部と前記第２軸支部とによって軸支するようにしたことを特徴とする請求項１〜７のいずれかに記載したヒンジ機構。
【請求項９】
前記第１軸支部と前記第２軸支部とをリンクにより連結したことを特徴とする請求項１〜８のいずれかに記載したヒンジ機構。
【発明の詳細な説明】
【技術分野】
【０００１】
本発明は、パチンコ機等の遊技機または他の物品を前方へ開閉可能に支持するヒンジ機構に関するものである。
【背景技術】
【０００２】
一般にパチンコ機等の遊技機は、遊技場の島台に前面が開口した方形枠状の固定枠（機枠または外枠とも称される）が隣接状に多数固設され、該固定枠の一側辺部に設けられた蝶番によってヒンジすることにより該遊技機を前方へ開閉可能に支持している。
ところで、近年のパチンコ機等の遊技機は、その本体の前面に開閉可能に軸支された前面体（ガラス枠または透明板保持枠または前面扉とも称される）の両側縁部および上部等に前方へ大きく突出するように装飾体や種々の演出装置（以下、演出装飾部材という）が一体的に形成され、豪華な演出がなされるようにする傾向にある。
このため、前面体を前方に開いたり、或いは前面体と本体とを一緒に前方に開く際にも、上記演出装飾部材が両側に設置された他の遊技機や球貸装置と衝突し破損するおそれがあった。また、こうした干渉を避けようとすると、その開角度が制限されてしまうので、遊技機内を点検しメンテナンス作業をするのに支障が生じる状況であった。
【０００３】
なお、下記特許文献１，２に示された発明は、固定枠に横方向に延びるガイド溝を設け、前面体を開いた際にその軸支部が該ガイド溝にそって内方に移動し得るようにすることで、開放時の干渉、衝突を避けようとするものである。
また特許文献３には、多軸蝶番を用いて遊技機を固定枠に支持することにより干渉が回避されるようにする発明が示されている。
【先行技術文献】
【特許文献】
【０００４】
【特許文献１】特許第４６６５４０７号公報
【特許文献２】特許第４３２０４６０号公報
【特許文献３】特開平９−２５３３０２号公報
【発明の概要】
【発明が解決しようとする課題】
【０００５】
しかしながら、特許文献１，２に示された構造では、固定枠に対し本体と前面体とをそれぞれ開閉可能に支持することが困難であるとともに、前面体や本体（以下、被支持体という）を開状態にしてもその軸支部が固定枠から離間するものではないので、細部の点検、メンテナンス作業をするに支障が生じることがあった。
また、上記特許文献３に示された多軸蝶番を用いる発明では、遊技機本体と前面体とをそれぞれ多軸蝶番によりヒンジする必要があるので、多軸蝶番を配置するに要するスペースが非常に大きくなってしまうという問題がある。
【０００６】
さらに従来の遊技機のように、固定枠に対し本体と前面体とをそれぞれ蝶番により開閉可能に支持する構成であると、両蝶番をたとえ同軸上に設けていたとしても狭い部位に両蝶番を並設するものであるので占有スペースが大きくなり、他の部品の配置に邪魔になるという問題がある。
そこで本発明は、特に遊技機への使用に適したヒンジ機構を提供し、上記課題を解決しようとするものである。
【課題を解決するための手段】
【０００７】
そのために本発明に係るヒンジ機構は、第１アームを第１枢着部によって水平面内で前方に回転し得るように枢着するとともに、前記第１枢着部から離れた部位に第２枢着部を設けて第２アームを水平面内で前方に回転し得るように枢着し、前記第１アームの先端部に設けられた第１軸支部と前記第２アームの先端部に設けられた第２軸支部とにより被支持体を軸支するヒンジ機構であり、前記第１軸支部が前記第１枢着部の外方前側に位置し得るように前記第１アームおよび前記第２アームの長さを設定し、この位置にある第１軸支部を支点として被支持体を前方に回転させられるようにするとともに、この状態から該第１アームと第２アームとをさらに前方に回転させることで該被支持体が前方に繰り出されるようにしたことを特徴とする。
このように被支持体が向きを変えつつ前方に繰り出されようにすることで、被支持体を隣接する物に衝突することなく大きく開くことができるとともに、被支持体を支持部から離間させることができる。
【０００８】
また、本発明に係るヒンジ機構は、前面が開口する方形枠状の固定枠の下辺部に支持基板を設け、該支持基板に第１枢着部を設けて第１アームを水平面内で前方に回転し得るように枢着するとともに、該支持基板上の前記第１枢着部から離れた部位に第２枢着部を設けて前記第１アームよりも長い第２アームを水平面内で前方に回転し得るように枢着し、前記第１アームの先端部に設けられた第１軸支部と前記第２アームの先端部に設けられた第２軸支部とにより被支持体を軸支するヒンジ機構であり、前記第１軸支部が該固定枠の一側辺部に近い前側に位置し得るように前記第１アームの長さを設定し、この位置にある第１軸支部を支点として被支持体を回転させることで該被支持体が前記固定枠の一側辺部に対し内側から接離するようにするとともに、この状態から該第１アームと第２アームとをさらに前方に回転させることで該被支持体が前記固定枠内から向きを変えつつ前方に繰り出されるようにしたことを特徴とする。
このように、固定枠の一側辺部に近い前側に位置する第１軸支部を支点として被支持体が回転して固定枠の一側辺部に対し内側から接離するようにしたことから、被支持体を隣接する物に衝突することなく大きく開くことができるとともに、被支持体を固定枠内に隙間なく収納することができる。
【０００９】
また、本発明は上記ヒンジ機構において、前記固定枠の上辺部に前記第１アームと同様に回転し前記被支持体を支持する上部第１アームを設けたことを特徴とする。
上部第１アームにより被支持体の上部を支持することで、被支持体を頑強に支持できる。
【００１０】
また、本発明は上記ヒンジ機構において、前記第１枢着部は前記支持基板の長手方向略中間部位に設けられ、前記第２枢着部は前記支持基板の他端部寄りに設けられていることを特徴とする。
また、本発明は上記ヒンジ機構において、前記第２アームは伸縮可能に構成されていることを特徴とする。
【００１１】
また、本発明は上記ヒンジ機構において、前記第１軸支部が前記支持基板の一端部に近い前側に位置するときの該第１軸支部を中心とする円弧状となるように前記支持基板にガイド溝を形成し、前記第２軸支部を該ガイド溝に遊嵌し、前記第２軸支部を該ガイド溝に沿って移動させることで被支持体が前記第１軸支部を中心として回転するようにしたことを特徴とする。
ガイド溝を設けたことで、被支持体を確実に第１軸支部を中心として回転させられる。
【００１２】
また、本発明は上記ヒンジ機構において、前記第２アームを伸縮可能に構成するとともに、該第２アームに収縮制限ストッパを設け、前方に繰り出した被支持体を固定枠内に収納するに際し該収縮制限ストッパによって前記第２アームの収縮が制限されることで前記第２軸支部が前記ガイド溝の開口縁に合致するようにしたことを特徴とする。
このため、確実に第２軸支部がガイド溝の開口縁に導かれ、該第２軸支部を該ガイド溝に沿って移動させる。
【００１３】
また、本発明は上記ヒンジ機構において、前記被支持体は前面体と該前面体の裏面に係脱可能に配設された本体とからなり、該前面体を前記第１軸支部と前記第２軸支部とによって軸支するようにしたことを特徴とする。
前面体と本体とからなる遊技機では、ヒンジ機構は１つでよいので、省スペースに構成される。
【００１４】
また、本発明は上記ヒンジ機構において、前記第１軸支部と前記第２軸支部とをリンクにより連結したことを特徴とする。
このため第１軸支部と第２軸支部との間隔が常に一定となり、このヒンジ機構の強度を維持し得る。また、第１軸支部と第２軸支部との間隔が一定であるので、被支持体の軸支作業を円滑に行うことができる。
【発明の効果】
【００１５】
本発明のヒンジ機構によれば、被支持体を隣接する物に衝突することなく前方に大きく繰り出すように開くことができるので、点検やメンテナンス作業が容易になる。
【図面の簡単な説明】
【００１６】
【図１】本発明に係るヒンジ機構の斜視図。
【図２】本発明に係るヒンジ機構の正面図。
【図３】本発明に係るヒンジ機構の平面図。
【図４】図３のＡ−Ａ線断面図。
【図５】図３のＢ−Ｂ線断面図。
【図６】図３のＣ−Ｃ線断面図。
【図７】図３のヒンジ機構の作動状態図。
【図８】図７のＤ−Ｄ線断面図。
【図９】本発明に係るヒンジ機構の分解斜視図。
【図１０】本発明に係るヒンジ機構の作動状態図。
【図１１】本発明に係るヒンジ機構の作動状態図。
【図１２】本発明に係るヒンジ機構を遊技機の固定枠に設けたときの斜視図。
【図１３】本発明に係るヒンジ機構の上部第１アームの分解斜視図。
【図１４】図１２に示したヒンジ機構の作動状態を示す斜視図。
【図１５】本発明に係るヒンジ機構を設けた遊技機の斜視図。
【図１６】図１５に示した遊技機の部分水平断面図。
【図１７】図１５に示した遊技機の開作動状態図。
【図１８】図１７に示した開作動状態の遊技機の部分水平断面図。
【図１９】図１５に示した遊技機の開作動状態図。
【図２０】図１５に示した遊技機の開作動状態図。
【図２１】図２０に示した開作動状態の遊技機の部分水平断面図。
【図２２】図１５に示した遊技機の開作動状態図。
【発明を実施するための形態】
【００１７】
図１〜図１０に示すように、このヒンジ機構の支持基板１は、一定幅の鋼板の後縁部に補強用リブ１ａを起立状に折曲形成するとともに、両端部に脚片１ｂ，１ｃが下方に折曲形成され、該脚片１ｂ，１ｃによって水平に支持される。該支持基板１の長手方向略中間部位に第１枢着部２を設け、該第１枢着部２により第１アーム３を水平面内で前方に回転し得るように枢着する。第１アーム３は十分な強度が得られるようにアルミ型材により成形され全長にわたって複数の透孔３ａを適宜間隔で形成している。該第１枢着部２は、図９に分解斜視図を示したように、第１アーム３の基端部に上下方向に貫通する枢軸２ａを貫挿し、該枢軸２ａの下方突出部を角形座金２ｂ，ワッシャー２ｃを介在させて支持基板１に開設された透孔２ｄに貫挿し、該支持基板１の下側からワッシャー２ｅ，ナット２ｆを止着し、該枢軸２ａの上方突出部に角形座金２ｇ，ワッシャー２ｈを介在させてナット２ｉを止着する。これにより枢軸２ａに該第１アーム３を回転自在に軸支してなる。なお、該第１アーム３の下面に突出するように前記透孔３ａに滑り易い樹脂製のスライダ３ｂ，３ｃを固着し、該スライダ３ｂ，３ｃを支持基板１の上面に摺接させることで、該第１アーム３の回転時の摩擦抵抗を軽減すると同時に該スライダ３ｂ，３ｃを介して重量が支持基板１に負荷されるようにしている。
【００１８】
また、第１アーム３の先端部に第１軸支部４を設ける。該第１軸支部４は第１アーム３の先端部に形成された透孔に支軸４ａを貫挿して該支軸４ａを該第１アーム３の下側からナット４ｂにより止着することにより該支軸４ａを上方に突出させている。該第１軸支部４は、図３に示されるように、支持基板１の一端部に近い前側に位置し得るように、前記第１アーム３の長さ、および、前記第１枢着部２の位置が設定される。なお、該第１アーム３の前方への回転を制限するために支持基板１の上面にストッパ１ｄがナット１ｆにより固着される。
【００１９】
一方、前記第１枢着部２から離れた部位である支持基板１の他端部寄りに第２枢着部６を設け、該第２枢着部６に第２アーム７を水平面内で前方に回転し得るように枢着する。該第２アーム７は前記第１アーム３よりも長くて、しかも伸縮可能に構成される。詳しくは、第２アーム７はアーム外材７ａとアーム内材７ｃとからなり、横断面コ字形に形成されたアーム外材７ａの基端部に枢軸６ａにワッシャー６ｃを介在させて上下方向に貫挿し、該枢軸６ａの下方突出部を支持基板１に開設された透孔６ｄに貫挿し、該支持基板１の下側からワッシャー６ｅ，ナット６ｆを止着し、該枢軸６ａの上方突出部にはワッシャー６ｈを介在させてナット６ｉを止着することにより、該枢軸６ａに該アーム外材７ａを回転自在に枢着するとともに、該アーム外材７ａの下面に支持基板１の上面に摺接する角形座金６ｂを止着している。また、該アーム外材７ａ内にリニヤ軸受７ｂを介在させることによりアーム内材７ｃを進退動自在に支持し、該アーム内材７ｃを該アーム外材７ａの先端部から突出させている。該リニヤ軸受７ｂは横断面コ字形に形成された受持体７ｍの四角隅部に複数のローラベヤリング７ｎをそれぞれ回転自在に配置した構造のものである。なお、前記アーム内材７ｃには図２，図４に示したように長孔７ｄ，７ｅが形成され、該長孔７ｄ，７ｅにボルト７ｆ，７ｇを貫挿し、該ボルト７ｆ，７ｇをさらに前記受持体７ｍに形成された長孔７ｏ（図９に一方が図示される）に貫挿し、さらに該ボルト７ｆ，７ｇを詳しくは後述するようにアーム外材７ａに止着している。このため、該アーム内材７ｃは、該長孔７ｄ，７ｅにより制限された範囲内にて進退動可能になる。また、アーム外材７ａの基部寄り内面にＬ字金具７ｈにより軸棒７ｉを該アーム外材７ａの長手方向に伸びるように支持し、該軸棒７ｉの先端をアーム内材７ｃの後端部に形成された軸孔７ｋに遊嵌し、該軸棒７ｉの外周に配設した圧縮バネ７ｊにより該アーム内材７ｃを弾性的に押圧するようにしている。このため該アーム内材７ｃは該圧縮バネ７ｊにより付勢されて先端部が常にアーム外材７ａの先端部から突出する。
【００２０】
また、第２アーム７の先端部に第２軸支部８を設ける。該第２軸支部８は、前記アーム内材７ｃの先端部に支軸８ａを貫挿して該支軸８ａを該アーム内材７ｃの下側からナット８ｂにより止着することにより該支軸８ａを上方に突出させている。なお、５は平板状のリンクで、該リンクの一端部に該支軸８ａが貫挿され、他端部に前記支軸４ａが貫挿され、該リンク５によって前記支軸４ａと該支軸８ａとが連結される。このように、支軸４ａと支軸８ａとをリンク５により連結したことでは、第１軸支部４と第２軸支部８との間隔が常に一定となり、このヒンジ機構の強度を維持し得る。
【００２１】
また、該第２アーム７に収縮制限ストッパ９を設ける。該収縮制限ストッパ９は、アーム内材７ｃの長手方向略中間部に上下に貫通する小孔９ａを形成し、該小孔９ａにピン９ｂをコイルバネ９ｃの弾性により下向きに付勢されるように貫挿し、該ピン９ｂの下端部を該アーム内材７ｃの下面から突出させる。そして、図８に示したように、該ピン９ｂの下端を受け支え得る受支部９ｄが先端に形成された弾性板９ｅをアーム外材７ａの背面に傾動可能に設ける。即ち、該弾性板９ｅは図９に示されるように丸孔９ｆと円弧状孔９ｇが形成され、該丸孔９ｆにアーム外材７ａに貫挿された前記ボルト７ｇを貫挿し、円弧状孔９ｇには前記ボルト７ｆを貫挿し、該ボルト７ｆ，７ｇをそれぞれワッシャー９ｈ，ナット９ｉによりアーム外材７ａに止着する。こうすることで該弾性板９ｅは該ボルト７ｇを支点とし円弧状孔９ｇが開設された範囲にて上下に傾動し得るようにする。なお、常態では該弾性板９ｅは下動しているが、受支部９ｄが支持基板１の前縁に当たると上動し、該受支部９ｄがピン９ｂを上動させ、該受支部９ｄが支持基板１の上面に載ることで上動状態に保持される。このため、図８に示したように受支部９ｄが支持基板１上に載っていないときはピン９ｂは下端部がアーム内材７ｃの下面から大きく突出し、その突出部分がアーム外材７ａの先端縁に当たることから該アーム内材７ｃが該アーム外材７ａ内に収まるのが阻止される。一方、受支部９ｄが支持基板１上に載ると該受支部９ｄが該ピン９ｂを押し上げ、該ピン９ｂはアーム外材７ａに当たることなく図６に示したように該アーム外材７ａ内に収容されることから、図３，図４に示したように該第２アーム７の全長が短くなり得る。
【００２２】
また、図３に示したように、支持基板１の前縁から奥に向かってガイド溝１ｅが形成される。該ガイド溝１ｅは前記第１軸支部４が支持基板１の一端部に近い前側に位置しているときの該第１軸支部４を中心とする円弧状となるように形成される。そして前記第２軸支部８の支軸８ａの下端部を該ガイド溝１ｅに遊嵌することで、該第２軸支部８が該ガイド溝１ｅに沿って移動し得るようにする。
【００２３】
次に図１０および図１１に従いこのヒンジ装置によって被支持体１０を支持した際の動きを説明する。同図に２点鎖線で被支持体１０を示した如く、被支持体１０は下面に形成された２つの取付孔（図示せず）に前記第１軸支部４の支軸４ａおよび第２軸支部８の支軸８ａをそれぞれ挿し込むことにより回転自在に支持される。図１０および図１１は、このヒンジ装置に支持された被支持体１０が（ａ）に示したように支持基板１の上部に収納された状態から（ｄ）に示したように前方に大きく繰り出された状態までを順に示す。（ａ）から（ｂ）への変動は、第１軸支部４は移動することなく、第２軸支部８がガイド溝１ｅに沿って前方に移動し、被支持体１０が第１軸支部４を中心として前方に回転し、やがて第２軸支部８がガイド溝１ｅから脱出する過程である。このとき、第１アーム３は回転せず、第２アーム７はアーム外材７ａ内からアーム内材７ｃが伸出することで第２枢着部６を中心として前方に回転する。このようにアーム内材７ｃが伸出することでは、前記ピン９ｂが該アーム外材７ａ内から突出し、該ピン９ｂは前記コイルバネ９ｃの弾性により下動することから該ピン９ｂの下端部が図８に示したようにアーム内材７ｃの下面から突出する。なお、このとき前記受支部９ｄは支持基板１上から脱落するので該受支部９ｄによってピン９ｂが支えられることはない。この状態から被支持体１０をさらに回転させることにより、第１アーム３と第２アーム７はさらに大きく前方に回転し、図１１の（ｃ）〜（ｄ）に示したように、被支持体１０は向きを変えつつ支持基板１から離間し、前方に大きく繰り出した状態とすることができるとともに、被支持体１０を隣接する物に衝突させるおそれはない。
【００２４】
一方、被支持体１０を収納する際は、該被支持体１０を反対向きに回転することで（ｄ）→（ｂ）の状態に戻る。このときアーム内材７ｃの下面からピン９ｂが突出していることから該ピン９ｂに阻止されてアーム内材７ｃは収縮することなく、前記第２軸支部８はガイド溝１ｅの開口縁に合致したときに丁度前記受支部９ｄが支持基板１上に再び載り上げることで該ピン９ｂを上動させるので、該ピン９ｂは図６に示したようにアーム外材７ａ内に収拾され該アーム内材７ｃは収縮可能となる。このようにピン９ｂにより第２アーム７の収縮が制限されることで第２軸支部８をガイド溝１ｅの開口縁に確実に合致位置させることができる。そして、（ｂ）の状態から該被支持体１０をさらに押すことにより、該被支持体１０は第１軸支部４を中心として回転し（ａ）の収納状態となる。
【００２５】
このように構成されたヒンジ機構によっては、種々の被支持体を開閉可能に支持することができるが、次には、このヒンジ機構をパチンコ機に使用した例を示す。図１２はこの遊技機の固定枠１１を示す。該固定枠１１は、前面が開口する方形枠状であって、その下辺部１１ｂの奥にこのヒンジ機構の支持基板１が固設される。こうすることで同図に示したように前記第１軸支部４が固定枠１１の一方の側辺部１１ｃに近い前側に位置し得るようにする。
【００２６】
また、該固定枠１１の上辺部１１ａに上部第１アーム１２を設ける。該上部第１アーム１２は、図１３に示すように、前記第１アーム３と同様に全長にわたって複数の透孔１２ａが形成され、該上部第１アーム１２の基端部に枢軸１２ｂを貫挿して該枢軸１２ｂをワッシャー１２ｃ，ナット１２ｄにより止着するとともに、固定枠１１の上辺部１１ａの下面に取付板１２ｅを固着し、枢軸１２ｂの上端部を該取付板１２ｅに形成された透孔１２ｆにワッシャー１２ｋを介して遊嵌することにより、該枢軸１２ｂが前記第１枢着部２の真上に位置するようにする。そして該上部第１アーム１２の先端部にワッシャー１２ｇ，ナット１２ｈにより支軸１２ｉを止着し、該支軸１２ｉを前記支軸４ａと対峙させる。こうして該上部第１アーム１２が図１４に示したように前記第１アーム３と同様に前方に回転し得るようにする。なお、固定枠１１の側辺部１１ｄの内面に係合片１１ｇが固設されている。
【００２７】
この遊技機では、前面体１３と、該前面体１３の裏面に着脱可能に設けられる本体１４とを被支持体とする。前面体１３はパチンコ機ではガラス枠または透明板保持枠または前面扉とも称されるもので、図１５に示したように、透明板１３ａの両側縁部および上部等に電飾装飾体や演出装置等からなる演出装飾部材１３ｂが前方へ大きく突出するように形成されるとともに、景品球が払い出される上皿１３ｃ，下皿１３ｄ，打球発射装置１３ｅ等が前面に設けられる。
【００２８】
一方、本体１４は、遊技盤取付枠または遊技機本体とも称されるもので、前面が開口した奥行きのあるケース体１４ｉの上部に景品球タンク１４ａが設けられ、景品球払出装置、打球発射装置、電源供給装置、中継基板等が該ケース体１４ｉ内に設けられる。そして該本体１４の前面に遊技盤１４ｂが交換可能なるように着脱自在に設けられる。また、該本体１４の自由端側縁に図１９等に示されるように施錠装置１４ｃを設け、該施錠装置１４ｃにシリンダ錠１４ｄが備えられている。該シリンダ錠１４ｄは該本体１４の自由端側縁に形成された凸部１４ｊ内に設けられていて、前面体１３を閉じたとき該凸部１４ｊが該前面体１３の自由端側縁に形成された切欠部１３ｋ内に合致し、該シリンダ錠１４ｄの鍵孔が遊技機の前方に露呈するようにしている。そして、該施錠装置１４ｃから本体１４の前方に３つのフック１４ｅが突出している。また該施錠装置１４ｃから本体１４の後方に２つのフック１４ｆが突出している。
【００２９】
図２２に示されるように、前記前面体１３の裏面下部に軸受体１３ｆを固設し、該軸受体１３ｆに前記支軸４ａおよび支軸８ａを挿し込むとともに、該前面体１３の裏面上部で該軸受体１３ｆの直上に軸受体１３ｈを固設し、該軸受体１３ｈに前記支軸１２ｉを挿し込む。こうして該前面体１３をこのヒンジ機構に支持する。そして前記本体１４は該前面体１３の裏面に形成された係合孔１３ｍに前記フック１４ｅを係脱することにより着脱可能に設けられる。
【００３０】
なお、図１５に示したように前面体１３を閉状態としたときは、図１６に示したように固定枠１１の側辺部１１ｃの内面に一体に形成された縦リブ１１ｅの後側に本体１４の外側縁に形成された縦リブ１４ｇが接近し互いに入り組む状態となる。このため、遊技機の前面から不正を目的として固定枠１１と本体１４との間隙に針金、ピアノ線等を侵入させることが困難となり、こうした不正行為が防止される。また、本体１４の前面開口縁に形成された内向リブ１４ｈに対して前面体１３の裏面外周縁に形成された縦リブ１３ｉが裏側から接近し互いに入り組む状態となることで、不正の目的で針金、ピアノ線等を該前面体１３の裏側に侵入させることも困難となるようにしている。
【００３１】
前記シリンダ錠１４ｄの鍵孔に所定のキーを差し込んで一方向に回転操作することによっては、前記フック１４ｅが前面体１３の裏面に形成された係合孔１３ｍに係脱し得る。また、該キーを他方向に回転操作することによっては、前記フック１４ｆが固定枠１１に設けられた前記係合片１１ｇに係脱し得る。
【００３２】
このようにヒンジ機構によって支持された前面体１３は、前記フック１４ｆと係合片１１ｇとの係合を解いて、該前面体１３を前方に引くことにより該前面体１３が本体１４と共に前記第１軸支部４を支点として前方に回転し、図１５に示した閉止状態から図１７に示した半開き状態となる。このとき、図１８に示したように固定枠１１の側辺部１１ｃの内側にて縦リブ１４ｇは縦リブ１１ｅの後方に旋回して接離することから、縦リブ１４ｇと縦リブ１１ｅとが干渉することはない。なお、縦リブ１３ｉと内向リブ１４ｈとは縦方向に連なるように形成され、該縦リブ１３ｉと内向リブ１４ｈとが互いに入り組む状態にある。このため、このように前面体１３を開いたときも、該前面体１３の裏面に本体１４は合着した状態にあり、該前面体１３から本体１４が外れるようなことはない。
そして、前面体１３をさらに前方に回転させることで、図１９に示したように該前面体１３を本体１４と共に向きを変えつつ前方に大きく繰り出すことができる。このため、本体１４の裏側をも点検でき容易に手が届くのでメンテナンスが容易になる。また、このように前面体１３を本体１４と共に前方に大きく開いても、該前面体１３の前面に形成された前記演出装飾部材１３ｂ等が隣の遊技機や球貸機等に衝突することはない。
【００３３】
また、前面体１３が閉状態にあるときに前記フック１４ｅと前面体１３の係合孔１３ｍとの係合を解いて、該前面体１３を前方に引くことによっては、図２０に示したように本体１４は固定枠１１内に収容されたままとして、前面体１３をだけを開けることができる。このとき図２１に示したように、前記内向リブ１４ｈに対して前記縦リブ１３ｉは後方に回転して接離するので、該縦リブ１３ｉと内向リブ１４ｈとが干渉することはない。該前面体１３をさらに回転させることによっては、図２２に示したように該前面体１３を本体１４から離して向きを変えつつ前方に大きく繰り出させることができ、その際も該前面体１３が隣の遊技機や球貸機等に衝突するおそれはない。このため、前面体１３の裏面や本体１４の前面に設けられた遊技盤１４ｂを点検したり、或いは、該遊技盤１４ｂを本体１４に着脱したり、本体１４内をメンテナンスするときの作業性が大幅に向上する。
このように、この実施形態に示した遊技機は、ヒンジ機構により前面体１３を支持するだけであって、本体１４は該前面体１３の裏面に着脱可能に設けられるので、ヒンジ機構は１つ設けるだけでよい。従って、二つの蝶番を設けなくてもよく、省スペースに構成できる利点がある。
なお、実施形態に示したヒンジ機構はベースとなる単一の支持基板１に第１アーム３、第２アーム７等の各構成部品が取り付けられるようにしたが、これらの構成部品は固定枠１１の下辺部１１ｂに直接取り付けてもよい。また、各構成部品を単一の支持基板１に取り付けなくても複数に分離した支持基板に取り付けてもよい。
また、この実施形態では、第２アーム７を第１アームよりも長くしたが、必ずしも第２アーム７は第１アームより長くなくてもよい。
【産業上の利用可能性】
【００３４】
本発明に係るヒンジ機構は、実施形態として示した遊技機だけでなく、種々の容器の蓋や家具の扉体、ドア等を開閉可能にヒンジするにも利用可能である。
【符号の説明】
【００３５】
１…支持基板、    １ａ…補強用リブ、    １ｂ，１ｃ…脚片、    １ｄ…ストッパ、    １ｅ…ガイド溝、    １ｆ…ナット、    ２…第１枢着部、    ２ａ…枢軸、    ２ｂ，２ｇ…角形座金、    ２ｃ，２ｅ，２ｈ…ワッシャー、    ２ｄ…透孔、    ２ｆ，２ｉ…ナット、    ３…第１アーム、    ３ａ…透孔、    ３ｂ，３ｃ…スライダ、    ４…第１軸支部、    ４ａ…支軸、    ４ｂ…ナット、    ５…リンク、    ６…第２枢着部、    ６ａ…枢軸、    ６ｂ…角形座金、    ６ｃ，６ｅ，６ｈ…ワッシャー、    ６ｄ…透孔、    ６ｆ，６ｉ…ナット、    ７…第２アーム、    ７ａ…アーム外材、    ７ｂ…リニヤ軸受、    ７ｃ…アーム内材、    ７ｄ，７ｅ，７ｏ…長孔、    ７ｆ，７ｇ…ボルト、    ７ｈ…Ｌ字金具、    ７ｉ…軸棒、    ７ｊ…圧縮バネ、    ７ｋ…軸孔、    ７ｍ…受持体、    ７ｎ…ローラベヤリング、    ８…第２軸支部、    ８ａ…支軸、    ８ｂ…ナット、    ９…収縮制限ストッパ、    ９ａ…小孔、    ９ｂ…ピン、    ９ｃ…コイルバネ、    ９ｄ…受支部、    ９ｅ…弾性板、    ９ｆ…丸孔、    ９ｇ…円弧状孔、    ９ｈ…ワッシャー、    ９ｉ…ナット、    １０…被支持体、    １１…固定枠、    １１ａ…上辺部、    １１ｂ…下辺部、    １１ｃ，１１ｄ…側辺部、    １１ｅ…縦リブ、    １１ｇ…係合片、    １２…上部第１アーム、    １２ａ，１２ｆ…透孔、    １２ｂ…枢軸、    １２ｃ，１２ｇ，１２ｋ…ワッシャー、    １２ｄ，１２ｈ…ナット、    １２ｅ…取付板、    １２ｉ…支軸、    １３…前面体、    １３ａ…透明板、    １３ｂ…演出装飾部材、    １３ｃ…上皿、    １３ｄ…下皿、    １３ｅ…打球発射装置、    １３ｆ，１３ｈ…軸受体、    １３ｉ…縦リブ、    １３ｋ…切欠部、    １３ｍ…係合孔、    １４…本体、    １４ａ…景品球タンク、    １４ｂ…遊技盤、    １４ｃ…施錠装置、    １４ｄ…シリンダ錠、    １４ｅ，１４ｆ…フック、    １４ｇ…縦リブ、    １４ｈ…内向リブ、    １４ｉ…ケース体、    １４ｊ…凸部
【図１】
2018000730.tif 000003
【図２】
2018000730.tif 000004
【図３】
2018000730.tif 000005
【図４】
2018000730.tif 000006
【図５】
2018000730.tif 000007
【図６】
2018000730.tif 000008
【図７】
2018000730.tif 000009
【図８】
2018000730.tif 000010
【図９】
2018000730.tif 000011
【図１０】
2018000730.tif 000012
【図１１】
2018000730.tif 000013
【図１２】
2018000730.tif 000014
【図１３】
2018000730.tif 000015
【図１４】
2018000730.tif 000016
【図１５】
2018000730.tif 000017
【図１６】
2018000730.tif 000018
【図１７】
2018000730.tif 000019
【図１８】
2018000730.tif 000020
【図１９】
2018000730.tif 000021
【図２０】
2018000730.tif 000022
【図２１】
2018000730.tif 000023
【図２２】
2018000730.tif 000024